(57)【要約】      （修正有）【課題】グラフィックカード本体に異常が生じた場合に異常を知らせるグラフィックカード保護回路の監視制御装置を提供する。【解決手段】グラフィックカード本体１と、グラフィックカード本体に設けられる保護回路モジュール２と、グラフィックカード本体に設けられるとともに保護回路モジュールに電気的に接続され、保護回路モジュールの使用状態を監視・制御する監視制御装置３と、保護回路モジュールと監視制御装置にそれぞれ電気的に接続された電力供給装置４と、監視制御装置に電気的に接続され、保護回路モジュールがトリップ状態の時、監視制御装置に駆動されることによって警告を発する警告モジュール５と、からなる。保護回路モジュールによりグラフィックカード本体の異常損傷を防止するほか、監視制御装置により保護回路モジュールが作動すると同時に警告モジュールが駆動されて警告を発し、グラフィックカード本体の異常を知らせる。【選択図】図１
0003213099.tif 000002
【実用新案登録請求の範囲】
【請求項１】
グラフィックカード本体と、少なくとも１つの保護回路モジュールと、少なくとも１つの監視制御装置と、少なくとも１つの電力供給装置と、少なくとも１つの警告モジュールと、からなるグラフィックカード保護回路の監視制御装置であって、
前記保護回路モジュールは、前記グラフィックカード本体に設けられ、前記グラフィックカード本体に異常が発生した場合にトリップ状態にし、
前記監視制御装置は、前記グラフィックカード本体に設けられるとともに前記保護回路モジュールに電気的に接続され、前記保護回路モジュールの使用状態を監視・制御し、
前記電力供給装置は、前記保護回路モジュール及び前記監視制御装置に電気的に接続され、前記保護回路モジュール及び前記監視制御装置の電力をそれぞれ供給し、
前記警告モジュールは、前記監視制御装置に電気的に接続され、前記トリップ状態が発生した場合、前記監視制御装置に駆動されることによって警告を発することを特徴とする、グラフィックカード保護回路の監視制御装置。
【請求項２】
前記保護回路モジュールは、過熱検出部を備えることを特徴とする、請求項１に記載のグラフィックカード保護回路の監視制御装置。
【請求項３】
前記保護回路モジュールは、大電流検出部を備えることを特徴とする、請求項１に記載のグラフィックカード保護回路の監視制御装置。
【請求項４】
前記電力供給装置は、第１導電部と、前記第１導電部と並列する第２導電部を備えることを特徴とする、請求項１に記載のグラフィックカード保護回路の監視制御装置。
【請求項５】
前記警告モジュールは、少なくとも１つの発光部品を備えることを特徴とする、請求項１に記載のグラフィックカード保護回路の監視制御装置。
【請求項６】
前記警告モジュールは、スピーカー部を備えることを特徴とする、請求項１に記載のグラフィックカード保護回路の監視制御装置。
【請求項７】
前記グラフィックカード本体には、少なくとも１つの放熱ファンが設けられるとともに、前記監視制御装置は、前記放熱ファンの回転動作を直接監視・制御することを特徴とする、請求項１に記載のグラフィックカード保護回路の監視制御装置。
【考案の詳細な説明】
【技術分野】
【０００１】
本考案はグラフィックカード保護回路の監視制御装置に関し、特に、ヒューズの原理とリアルタイム監視警告機能によって、グラフィックカードの損傷を防ぐとともに、使用者にメンテナンスまたは交換を促す、グラフィックカードを二重に保護するグラフィックカード保護回路の監視制御装置に関する。
【背景技術】
【０００２】
データ処理システムの構造において、いわゆる基本入出力システム（ｂａｓｉｃ  ｉｎｐｕｔ−ｏｕｔｐｕｔ  ｓｙｓｔｅｍ、  ＢＩＯＳ）は、データ処理システムが起動された後に実行される１つ目のプログラムであり、システム全体を守る第１段階である。ＢＩＯＳプログラムを終了できなければ、通常ハードウェアのどこかに異常があるということを意味する。
【０００３】
データ処理システムが起動された後、セルフテスト機能が起動されるため、ＢＩＯＳのテスト順序は一般に、ダイナミックランダムアクセスメモリ（ＤＲＡＭ）、ＢＩＯＳ装置本体、グラフィック（ＶＧＡ）カード、その後その他の周辺装置のテストである。しかしながら、グラフィックカードを検知する前に、またはグラフィックカード本体にエラーが発生した場合、監視装置からエラーの発生原因を知ることができないため、使用者は筺体を分解して確認しなければならない。仮に修理業者に依頼したとしても、事前にどの部品が故障したのかまたはどの装置にエラーが生じたのかが分からない場合、時間をかけて１つずつテストしなければならないため、使用者にとって悩みの種であると同時に、修理者が修理する時間も長くなる。
【０００４】
特に、グラフィックカードに異常が発生した場合、監視装置から問題となっている状況を調べることができないため、その問題を取り除くことが非常に難しくなる。グラフィックカードが進歩するのに伴って、一部の型番のグラフィックカードにはすでにセルフ検出システムが搭載されており、使用者は、平常時に自発的にグラフィックカードの状況を検査することができ、定期性と予防性を備える保護対策が提供されている。しかしながら、いったん突発的な状況が発生すると、グラフィックカードが故障してしまい、上述の問題に直面する。
【０００５】
上述のグラフィックカードセルフ検出システムを使用する際、定期性と予防性を備える保護対策だけしか提供されておらず、突発的な予想外の出来事に対処できない、ＢＩＯＳのエラー検出機能にいまだに依存している、このような事後対策の対処法のため修理にかかる時間を短縮することができない、といった問題と欠点が確実に存在するため、改善が期待されている。
【考案の概要】
【考案が解決しようとする課題】
【０００６】
本考案は、グラフィックカード本体に異常が発生した場合にリアルタイムに警告することによって、使用者にメンテナンスまたは交換を促すグラフィックカード保護回路の監視制御装置を提供することを目的とする。
【０００７】
本考案は、さらにヒューズの原理とリアルタイム監視警告機能によって、グラフィックカード本体を二重に保護するグラフィックカード保護回路の監視制御装置を提供することを目的とする。
【課題を解決するための手段】
【０００８】
上述の目的を達成するため、本考案の構造は、グラフィックカード本体からなる。前記グラフィックカード本体には、前記グラフィックカード本体に異常が発生した場合にトリップ状態にする少なくとも１つの保護回路モジュールと、前記保護回路モジュールに電気的に接続された少なくとも１つの監視制御装置が備えられ、前記保護回路モジュールの使用状態を監視・制御するとともに、前記保護回路モジュール及び前記監視制御装置は、少なくとも１つの電力供給装置に電気的に接続され、前記保護回路モジュール及び前記監視制御装置の電力がそれぞれ供給される。さらに、前記監視制御装置は、少なくとも１つの警告モジュールに電気的に接続され、前記トリップ状態になった場合には、前記監視制御装置に駆動されることによって警告が発せられる。使用者が本考案のグラフィックカード本体を使用することで、保護回路モジュールによって、例えば過熱保護、大電流保護といった基本的な保護対策が提供されるとともに、監視モジュールによって保護回路モジュールが監視・制御されることで、グラフィックカード本体に異常が発生し、保護回路モジュールによりトリップ状態になった場合、直ちに警告モジュールが駆動されて警告が発せられることにより、使用者にグラフィックカード本体に異常が発生したことを知らせる。
【考案の効果】
【０００９】
上述の技術により、従来のグラフィックカードセルフ検出システムに存在する、グラフィックカードの突発的な異常に対処できない、グラフィックカードが電力を供給できない場合機能しなくなる、いまだにＢＩＯＳに依存している、修理作業に非常に時間がかかるといった問題を解決することができ、上述の長所における実用進歩性を達成することができる。
【図面の簡単な説明】
【００１０】
【図１】本考案における比較的好ましい実施例の構造を示した図である。
【図２】本考案における比較的好ましい実施例の構造ブロック図である。
【図３】本考案における比較的好ましい実施例のブロックフローチャートである。
【図４】本考案における比較的好ましい実施例の実施を示した第１図である。
【図５】本考案における比較的好ましい実施例の実施を示した第２図である。
【考案を実施するための形態】
【００１１】
参照する図１及び図２は、本考案における比較的好ましい実施例の構造を示した図及び構造ブロック図である。図から明らかな通り、本考案は、グラフィックカード本体１と、保護回路モジュール２と、監視制御装置３と、電力供給装置４と、警告モジュール５と、からなる。
【００１２】
前記グラフィックカード本体１には、少なくとも１つの放熱ファン１１が設けられる。
【００１３】
前記グラフィックカード本体１に設けられる少なくとも１つの保護回路モジュール２は、前記グラフィックカード本体１に異常が発生した場合にトリップ状態にする。前記保護回路モジュール２は、過熱検出部２１と、大電流検出部２２を備える。
【００１４】
前記グラフィックカード本体１に設けられるとともに前記保護回路モジュール２に電気的に接続される少なくとも１つの監視制御装置３は、前記保護回路モジュール２の使用状態を監視・制御するとともに、前記放熱ファン１１の回転動作を直接監視・制御する。
【００１５】
前記保護回路モジュール２及び前記監視制御装置３に電気的に接続される少なくとも１つの電力供給装置４は、前記保護回路モジュール２及び前記監視制御装置３の電力をそれぞれ供給するとともに、前記電力供給装置４は、第１導電部４１と、前記第１導電部４１と並列する第２導電部４２を備える。
【００１６】
前記監視制御装置３に電気的に接続される少なくとも１つの警告モジュール５は、前記トリップ状態が発生した場合、前記監視制御装置３に駆動されることによって警告を発するとともに、前記警告モジュール５は、少なくとも１つの発光部品５１と、スピーカー部５２を備える。
【００１７】
上述の説明により、本技術の構造を理解することができる。この構造に対応する組合せに基づき、さらにヒューズの原理とリアルタイム監視警告機能によって、グラフィックカードの損傷を防ぐとともに、使用者にメンテナンスまたは交換を促すことで、グラフィックカードを二重に保護するという優位性を提供することができる。以下の説明により詳しく解説する。
【００１８】
図１から図５を同時に組み合わせて参照する。図１から図５は、本考案における比較的好ましい実施例の構造を示した図から実施を示した第２図までである。上述の組立部品を組み立てる時、図から分かる通り、本考案の主な構造はすべて、グラフィックカード本体１上に設けられる。本実施例を例とすると、主な構造は、保護回路モジュール２と、監視制御装置３と、警告モジュール５等を備え、電力供給装置４は、第１導電部４１及び第２導電部４２によって保護回路モジュール２及び監視制御装置３にそれぞれ電力を供給する。グラフィックカード本体１に異常が発生した場合、監視制御装置３及び警告モジュール５は、第２段階の保護警告機能を提供する。
【００１９】
具体的には、グラフィックカード本体１が通常の使用状態にある場合、保護回路モジュール２によって、過熱検出部２１によりグラフィックカード本体１の操作温度を検出することを含む各種の基本的な保護機能が提供される。例えば、温度が基準を超えている場合にはグラフィックカード本体１が過負荷寸前であることを使用者に知らせ、温度がすでに負荷を超えている場合、保護回路モジュール２が異常状態にあると判断してトリップ状態にし、強制的にグラフィックカード本体１の作動を一旦停止させる。同様に、大電流検出部２２によって検出する際、保護回路モジュール２によって異常な状態であると判断されると、同樣にトリップ状態によってグラフィックカード本体１への電力供給が停止される。
【００２０】
このとき、電力供給装置４は、並列方式で保護回路モジュール２及び監視制御装置３にそれぞれ独立して電力を供給するため、仮にグラフィックカード本体１の電源が断たれても、監視制御装置３は、正常に作動するとともに、警告モジュール５が駆動されて警告を発し、使用者に知らせる。例えば、電力供給装置４によってグラフィックカード本体１上の発光部品５１に電力を供給するとともに、様々な異常状況に基づいて異なる異常ランプでグラフィックカード本体１のエラー状態を表示することによって、使用者は、筺体を分解する時、グラフィックカード本体１にどのような異常が生じたのか迅速に判断することができる。または、スピーカー部５２によって警告音を発し、使用者に筺体を分解して異常を点検するよう促すことができる。これにより、グラフィックカード本体１の異常を取り除く時間が短縮される。
【００２１】
さらに、監視制御装置３の監視・制御方法は、簡単であり保護回路モジュール２または放熱ファン１１が正常に電力を供給されているかどうかにかかっている。例を挙げると、グラフィックカード本体１に異常が発生し、保護回路モジュール２によりトリップ状態になった場合、監視制御装置３の分圧検出信号が、Ｈｉｈｇ（１２Ｖ）からＬｏｗ（０Ｖ）になる。または、放熱ファン１１の回転速度が正常であるかどうかを検出することで、その回転速度が設定速度と異なる場合には、異常状態であると判定される
【００２２】
よって、参照した全ての図に示すように、本考案を使用する場合、従来技術と比較して、以下に挙げる長所が存在する。
【００２３】
１、グラフィックカード本体１に異常が発生したことをリアルタイムに警告することによって、使用者にメンテナンスまたは交換を促す。
【００２４】
２、ヒューズの原理とリアルタイム監視警告機能によって、グラフィックカード本体１は二重に保護される。
【００２５】
３、保護回路モジュール２と監視制御装置３は独立電源であることによって、保護機能を確保することができる。
【符号の説明】
【００２６】
１    グラフィックカード本体
１１  放熱ファン
２    保護回路モジュール
２１  過熱検出部
２２  大電流検出部
３    監視制御装置
４    電力供給装置
４１  第１導電部
４２  第２導電部
５    警告モジュール
５１  発光部品
５２  スピーカー部
【図１】
0003213099.tif 000003
【図２】
0003213099.tif 000004
【図３】
0003213099.tif 000005
【図４】
0003213099.tif 000006
【図５】
0003213099.tif 000007